(57)【要約】本開示は、アクセス方法、モノのインターネットプラットフォーム、応用機器及びサービス機器を提供する。モノのインターネットプラットフォーム側に応用されるアクセス方法において、サービス機器にアクセスするために応用機器から送信された操作要求メッセージであって、前記応用機器の位置情報が担持された操作要求メッセージを受信することと、応用機器の位置情報に基づいて、応用機器がサービス機器と接続を確立できるかを決定することと、応用機器がサービス機器と接続を確立できると決定した場合、前記サービス機器へのアクセスを応用機器に指示するための指示情報が担持された操作応答メッセージを応用機器に送信することとを含む。【選択図】  図１
2021519465.tif 000002
【特許請求の範囲】
【請求項１】
モノのインターネットプラットフォームに応用されるアクセス方法であって、
サービス機器にアクセスするために応用機器から送信された操作要求メッセージであって、前記応用機器の位置情報が担持された前記操作要求メッセージを受信することと、
前記応用機器の位置情報に基づいて、前記応用機器が前記サービス機器と接続を確立できるかを決定することと、
前記応用機器が前記サービス機器と接続を確立できると決定した場合、前記サービス機器へのアクセスを前記応用機器に指示するための指示情報が担持された操作応答メッセージを前記応用機器に送信することと
を含む、アクセス方法。
【請求項２】
前記応用機器がサービス機器と接続を確立できるかを決定する前に、
前記サービス機器から送信された前記サービス機器の位置情報を受信することを更に含み、
前記応用機器の位置情報に基づいて、前記応用機器がサービス機器と接続を確立できるかを決定することは、
前記応用機器の位置情報及び前記サービス機器の位置情報に基づいて、前記応用機器がサービス機器と接続を確立できるかを決定することを含む、請求項１に記載のアクセス方法。
【請求項３】
前記応用機器の位置情報及び前記サービス機器の位置情報に基づいて、前記応用機器がサービス機器と接続を確立できるかを決定することは、
前記応用機器の位置情報及び前記サービス機器の位置情報に基づいて、前記応用機器と前記サービス機器との距離、及び／又は、前記応用機器と前記サービス機器とを繋いだ線と所定座標軸とで形成される角度を決定することと、
前記距離が距離閾値以下、及び／又は、前記角度が角度閾値以下であると、前記応用機器が前記サービス機器と接続を確立できると決定し、逆の場合、前記応用機器が前記サービス機器と接続を確立できないと決定することと
を含む、請求項２に記載のアクセス方法。
【請求項４】
前記応用機器の位置情報に基づいて、前記応用機器がサービス機器と接続を確立できるかを決定することは、
前記操作要求メッセージのうちの応用機器の位置情報に基づいて、前記応用機器が前記サービス機器と接続を確立できるかを決定するように、前記操作要求メッセージを前記サービス機器に転送することと、
前記サービス機器から送信された操作応答メッセージを受信し、前記サービス機器へのアクセスを前記応用機器に指示する指示情報が前記操作応答メッセージに担持された場合、前記応用機器が前記サービス機器と接続を確立できると決定することと
を含み、
指示情報が担持された操作応答メッセージを前記応用機器に送信することは、
前記サービス機器から受信した操作応答メッセージを前記応用機器に転送することを含む、請求項１に記載のアクセス方法。
【請求項５】
応用機器に応用されるアクセス方法であって、
サービス機器へのアクセスが必要となると、前記応用機器の位置情報が担持された操作要求メッセージをモノのインターネットプラットフォームに送信することと、
前記モノのインターネットプラットフォームから送信された操作応答メッセージを受信することと、
前記応用機器が前記サービス機器にアクセスするために必要な指示情報が前記操作応答メッセージに担持されると、前記指示情報に基づいて前記サービス機器にアクセスすることと
を含む、アクセス方法。
【請求項６】
前記サービス機器から送信された接続要求メッセージを受信することと、
前記サービス機器が前記接続要求メッセージに基づいて前記応用機器と接続を確立することに成功したかを指示するための接続応答メッセージを前記サービス機器に送信することと
を更に含み、
前記接続要求メッセージは、前記サービス機器が前記モノのインターネットプラットフォームから転送された操作要求メッセージを受信したときに発するものである、請求項５に記載のアクセス方法。
【請求項７】
サービス機器に応用されるアクセス方法であって、
応用機器が前記サービス機器にアクセスするときに、前記応用機器にローカルのサービスリソースを提供することを含む、アクセス方法。
【請求項８】
前記サービス機器の位置情報をモノのインターネットプラットフォームに送信することを更に含み、よって、前記モノのインターネットプラットフォームは、前記応用機器の位置情報及び前記サービス機器の位置情報に基づいて、前記応用機器がサービス機器と接続を確立できるかを決定する、請求項７に記載のアクセス方法。
【請求項９】
モノのインターネットプラットフォームから転送された操作要求メッセージであって、前記応用機器の位置情報が担持された前記操作要求メッセージを受信することと、
前記応用機器の位置情報に基づいて、接続要求メッセージを前記応用機器に送信することと、
前記応用機器から送信された接続応答メッセージであって、前記サービス機器が前記応用機器の位置情報に基づいて前記応用機器と接続を確立することに成功したかを指示するための前記接続応答メッセージを受信することと、
前記サービス機器が前記応用機器の位置情報に基づいて前記応用機器と接続を確立することに成功したことが前記接続応答メッセージによって指示されると、前記サービス機器へのアクセスを前記応用機器に指示するための指示情報が担持された操作応答メッセージを前記モノのインターネットプラットフォームに送信することと
を更に含む、請求項７に記載のアクセス方法。
【請求項１０】
モノのインターネットプラットフォームから転送された操作要求メッセージであって、前記応用機器の位置情報が担持された前記操作要求メッセージを受信することと、
前記応用機器の位置情報及び前記サービス機器の位置情報に基づいて、前記応用機器が前記サービス機器と接続を確立できるかを決定することと、
前記応用機器が前記サービス機器と接続を確立できる場合、前記サービス機器へのアクセスを前記応用機器に指示するための指示情報が担持された操作応答メッセージを前記モノのインターネットプラットフォームに送信することとを更に含む、請求項７に記載のアクセス方法。
【請求項１１】
前記応用機器の位置情報及び前記サービス機器の位置情報に基づいて、前記応用機器が前記サービス機器と接続を確立できるかを決定することは、
前記応用機器の位置情報及び前記サービス機器の位置情報に基づいて、前記応用機器と前記サービス機器との距離、及び／又は、前記応用機器と前記サービス機器とを繋いだ線と水平面とで形成される角度を決定することと、
前記距離が距離閾値以下、及び／又は、前記角度が角度閾値以下であると、前記応用機器がサービス機器と接続を確立できると決定し、逆の場合、前記応用機器がサービス機器と接続を確立できないと決定することと
を含む、請求項１０に記載のアクセス方法。
【請求項１２】
モノのインターネットプラットフォームであって、
サービス機器にアクセスするために応用機器から送信された操作要求メッセージであって、前記応用機器の位置情報が担持された前記操作要求メッセージを受信するための第１受信回路と、
前記応用機器の位置情報に基づいて、前記応用機器が前記サービス機器と接続を確立できるかを決定するための第１処理回路と、
前記応用機器が前記サービス機器と接続を確立できると決定した場合、前記サービス機器へのアクセスを前記応用機器に指示するための指示情報が担持された操作応答メッセージを前記応用機器に送信するための第１送信回路と
を含む、モノのインターネットプラットフォーム。
【請求項１３】
前記応用機器が前記サービス機器と接続を確立できるかを決定する前に、前記サービス機器から送信された前記サービス機器の位置情報を受信するための第２受信回路を更に含み、
前記第１処理回路は、
前記応用機器の位置情報及び前記サービス機器の位置情報に基づいて、前記応用機器がサービス機器と接続を確立できるかを決定するための第１処理サブ回路を含む、請求項１２に記載のモノのインターネットプラットフォーム。
【請求項１４】
第１処理サブ回路は、具体的には、
前記応用機器の位置情報及び前記サービス機器の位置情報に基づいて、前記応用機器と前記サービス機器との距離、及び／又は、前記応用機器と前記サービス機器とを繋いだ線と所定座標軸とで形成される角度を決定することと、前記距離が距離閾値以下、及び／又は、前記角度が角度閾値以下であると、前記応用機器が前記サービス機器と接続を確立できると決定し、逆の場合、前記応用機器が前記サービス機器と接続を確立できないと決定することとに用いられる、請求項１３に記載のモノのインターネットプラットフォーム。
【請求項１５】
前記第１処理回路は、
前記操作要求メッセージのうちの応用機器の位置情報に基づいて、前記応用機器が前記サービス機器と接続を確立できるかを決定するように、前記操作要求メッセージを前記サービス機器に転送することと、前記サービス機器から送信された操作応答メッセージを受信し、前記サービス機器へのアクセスを前記応用機器に指示する指示情報が前記操作応答メッセージに担持された場合、前記応用機器が前記サービス機器と接続を確立できると決定することとに用いられる第２処理サブ回路を更に含み、
前記第１送信回路は、
前記サービス機器から受信した操作応答メッセージを前記応用機器に転送することに用いられる、請求項１２に記載のモノのインターネットプラットフォーム。
【請求項１６】
応用機器であって、
サービス機器へのアクセスが必要となると、前記応用機器の位置情報が担持された操作要求メッセージをモノのインターネットプラットフォームに送信するための第２送信回路と、
前記モノのインターネットプラットフォームから送信された操作応答メッセージを受信するための第３受信回路と、
前記応用機器が前記サービス機器にアクセスするために必要な指示情報が前記操作応答メッセージに担持されると、前記指示情報に基づいて前記サービス機器にアクセスするためのアクセス回路と
を含む、応用機器。
【請求項１７】
前記サービス機器から送信された接続要求メッセージを受信するための第４受信回路と、
前記サービス機器が前記接続要求メッセージに基づいて前記応用機器と接続を確立することに成功したかを指示するための接続応答メッセージを前記サービス機器に送信するための第３送信回路と
を更に含み、
前記接続要求メッセージは、前記サービス機器が前記モノのインターネットプラットフォームから転送された操作要求メッセージを受信したときに発するものである、請求項１６に記載の応用機器。
【請求項１８】
サービス機器であって、
応用機器が前記サービス機器にアクセスするときに、前記応用機器にローカルのサービスリソースを提供するためのリソース提供回路を含む、サービス機器。
【請求項１９】
前記サービス機器の位置情報をモノのインターネットプラットフォームに送信するための第４送信回路を更に含み、よって、前記モノのインターネットプラットフォームは、前記応用機器の位置情報及び前記サービス機器の位置情報に基づいて、前記応用機器がサービス機器と接続を確立できるかを決定する、請求項１８に記載のサービス機器。
【請求項２０】
モノのインターネットプラットフォームから転送された操作要求メッセージであって、前記応用機器の位置情報が担持された前記操作要求メッセージを受信するための第５受信回路と、
前記応用機器の位置情報に基づいて、接続要求メッセージを前記応用機器に送信するための第５送信回路と、
前記応用機器から送信された接続応答メッセージであって、前記サービス機器が前記応用機器の位置情報に基づいて前記応用機器と接続を確立することに成功したかを指示するための前記接続応答メッセージを受信するための第６受信回路と、
前記サービス機器が前記応用機器の位置情報に基づいて前記応用機器と接続を確立することに成功したことが前記接続応答メッセージによって指示されると、前記サービス機器へのアクセスを前記応用機器に指示するための指示情報が担持された操作応答メッセージを前記モノのインターネットプラットフォームに送信するための第６送信回路と
を更に含む、請求項１８に記載のサービス機器。
【請求項２１】
モノのインターネットプラットフォームから転送された操作要求メッセージであって、前記応用機器の位置情報が担持された前記操作要求メッセージを受信するための第７受信回路と、
前記応用機器の位置情報及び前記サービス機器の位置情報に基づいて、前記応用機器がサービス機器と接続を確立できるかを決定するための第２処理回路と、
前記応用機器がサービス機器と接続を確立できる場合、前記サービス機器へのアクセスを前記応用機器に指示するための指示情報が担持された前記操作応答メッセージを前記モノのインターネットプラットフォームに送信するための第７送信回路と
を更に含む、請求項１８に記載のサービス機器。
【請求項２２】
前記第２処理回路は、
前記応用機器の位置情報及び前記サービス機器の位置情報に基づいて、前記応用機器と前記サービス機器との距離、及び／又は、前記応用機器と前記サービス機器とを繋いだ線と水平面とで形成される角度を決定することと、前記距離が距離閾値以下、及び／又は、前記角度が角度閾値以下であると、前記応用機器がサービス機器と接続を確立できると決定し、逆の場合、前記応用機器がサービス機器と接続を確立できないと決定することと
に用いられる、請求項２１に記載のサービス機器。
【請求項２３】
プロセッサと、メモリと、前記メモリに格納されて前記プロセッサで動作可能なコンピュータプログラムを含むコンピュータ装置であって、
前記コンピュータプログラムがプロセッサによって実行されると、請求項１〜４のいずれか一項に記載のアクセス方法、又は、請求項５又は６に記載のアクセス方法、又は、請求項７〜１１のいずれか一項に記載のアクセス方法が実現される、コンピュータ装置。
【請求項２４】
コンピュータプログラムが格納されているコンピュータ読み取り可能な記憶媒体であって、
前記コンピュータプログラムがプロセッサによって実行されると、請求項１〜４のいずれか一項に記載のアクセス方法のステップが実現され、又は、請求項５又は６に記載のアクセス方法のステップが実現され、又は、請求項７〜１１のいずれか一項に記載のアクセス方法のステップが実現される、コンピュータ読み取り可能な記憶媒体。
【発明の詳細な説明】
【技術分野】
【０００１】
本願は、２０１８年３月３０日に中国特許庁に提出された中国特許出願２０１８１０２９３１６４．６の優先権を主張し、その全ての内容が援用によりここに取り込まれる。
【０００２】
本開示は、モノのインターネット技術分野に係り、特にアクセス方法、モノのインターネットプラットフォーム、応用機器及びサービス機器に係る。
【背景技術】
【０００３】
モノのインターネット技術の発展に伴い、Ｍ２Ｍ（マシンツーマシン）は、広く利用されている。Ｍ２Ｍは、人の関わりを減らし、システムの自動化レベルを向上させることができる。
【０００４】
現在、Ｍ２Ｍは、主に、モノのインターネットプラットフォームを介した間接的相互接続と、直接的な相互接続との２種類の通信方式がある。要求を発する機器は、応用機器と称し、サービスを提供する機器は、サービス機器と称する。
【０００５】
モノのインターネットの実際の応用において、モノのインターネットプラットフォームを介して、アクセスできないサービス機器の利用ライセンスを一部の応答機器が取得してシステムに一定の不便をもたらすことが生じたり、一部の応用機器が不正な方式でサービス機器にアクセスしてリソースの損失をもたらすことが生じたりする。
【発明の概要】
【０００６】
本開示の実施例は、モノのインターネットプラットフォームに応用されるアクセス方法を提供し、サービス機器にアクセスするために応用機器から送信された操作要求メッセージであって、前記応用機器の位置情報が担持された前記操作要求メッセージを受信することと、前記応用機器の位置情報に基づいて、前記応用機器が前記サービス機器と接続を確立できるかを決定することと、前記応用機器が前記サービス機器と接続を確立できると決定した場合、前記サービス機器へのアクセスを前記応用機器に指示するための指示情報が担持された操作応答メッセージを前記応用機器に送信することとを含む。
【０００７】
ここで、前記応用機器がサービス機器と接続を確立できるかを決定する前に、前記方法において、前記サービス機器から送信された前記サービス機器の位置情報を受信することを更に含む。前記応用機器の位置情報に基づいて、前記応用機器がサービス機器と接続を確立できるかを決定することは、前記応用機器の位置情報及び前記サービス機器の位置情報に基づいて、前記応用機器がサービス機器と接続を確立できるかを決定することを含む。
【０００８】
ここで、前記応用機器の位置情報及び前記サービス機器の位置情報に基づいて、前記応用機器がサービス機器と接続を確立できるかを決定することは、前記応用機器の位置情報及び前記サービス機器の位置情報に基づいて、前記応用機器と前記サービス機器との距離、及び／又は、前記応用機器と前記サービス機器とを繋いだ線と所定座標軸とで形成される角度を決定することと、前記距離が距離閾値以下、及び／又は、前記角度が角度閾値以下であると、前記応用機器が前記サービス機器と接続を確立できると決定し、逆の場合、前記応用機器が前記サービス機器と接続を確立できないと決定することとを含む。
【０００９】
ここで、前記応用機器の位置情報に基づいて、前記応用機器がサービス機器と接続を確立できるかを決定することは、前記操作要求メッセージのうちの応用機器の位置情報に基づいて、前記応用機器が前記サービス機器と接続を確立できるかを決定するように、前記操作要求メッセージを前記サービス機器に転送することと、前記サービス機器から送信された操作応答メッセージを受信し、前記サービス機器へのアクセスを前記応用機器に指示する指示情報が前記操作応答メッセージに担持された場合、前記応用機器が前記サービス機器と接続を確立できると決定することとを含む。指示情報が担持された操作応答メッセージを前記応用機器に送信することは、前記サービス機器から受信した操作応答メッセージを前記応用機器に転送することを含む。
【００１０】
別の態様において、本開示の実施例は、応用機器に応用されるアクセス方法を更に提供し、サービス機器へのアクセスが必要となると、前記応用機器の位置情報が担持された操作要求メッセージをモノのインターネットプラットフォームに送信することと、前記モノのインターネットプラットフォームから送信された操作応答メッセージを受信することと、前記応用機器が前記サービス機器にアクセスするために必要な指示情報が前記操作応答メッセージに担持されると、前記指示情報に基づいて前記サービス機器にアクセスすることとを含む。
【００１１】
ここで、前記アクセス方法において、前記サービス機器から送信された接続要求メッセージを受信することと、前記サービス機器が前記接続要求メッセージに基づいて前記応用機器と接続を確立することに成功したかを指示するための接続応答メッセージを前記サービス機器に送信することとを更に含み、前記接続要求メッセージは、前記サービス機器が前記モノのインターネットプラットフォームから転送された操作要求メッセージを受信したときに発するものである。
【００１２】
また、本開示の実施例は、サービス機器に応用されるアクセス方法を更に提供し、応用機器が前記サービス機器にアクセスするときに、前記応用機器にローカルのサービスリソースを提供することを含む。
【００１３】
ここで、前記アクセス方法において、前記サービス機器の位置情報をモノのインターネットプラットフォームに送信することを更に含む。よって、前記モノのインターネットプラットフォームは、前記応用機器の位置情報及び前記サービス機器の位置情報に基づいて、前記応用機器がサービス機器と接続を確立できるかを決定する。
【００１４】
ここで、前記アクセス方法において、モノのインターネットプラットフォームから転送された操作要求メッセージであって、前記応用機器の位置情報が担持された前記操作要求メッセージを受信することと、前記応用機器の位置情報に基づいて、接続要求メッセージを前記応用機器に送信することと、前記応用機器から送信された接続応答メッセージであって、前記サービス機器が前記応用機器の位置情報に基づいて前記応用機器と接続を確立することに成功したかを指示するための前記接続応答メッセージを受信することと、前記サービス機器が前記応用機器の位置情報に基づいて前記応用機器と接続を確立することに成功したことが前記接続応答メッセージによって指示されると、前記サービス機器へのアクセスを前記応用機器に指示するための指示情報が担持された操作応答メッセージを前記モノのインターネットプラットフォームに送信することとを更に含む。
【００１５】
ここで、前記アクセス方法において、モノのインターネットプラットフォームから転送された操作要求メッセージであって、前記応用機器の位置情報が担持された前記操作要求メッセージを受信することと、前記応用機器の位置情報及び前記サービス機器の位置情報に基づいて、前記応用機器が前記サービス機器と接続を確立できるかを決定することと、前記応用機器が前記サービス機器と接続を確立できる場合、前記サービス機器へのアクセスを前記応用機器に指示するための指示情報が担持された操作応答メッセージを前記モノのインターネットプラットフォームに送信することとを更に含む。
【００１６】
ここで、前記アクセス方法において、以下を更に含む。前記応用機器の位置情報及び前記サービス機器の位置情報に基づいて、前記応用機器が前記サービス機器と接続を確立できるかを決定することは、前記応用機器の位置情報及び前記サービス機器の位置情報に基づいて、前記応用機器と前記サービス機器との距離、及び／又は、前記応用機器と前記サービス機器とを繋いだ線と水平面とで形成される角度を決定することと、前記距離が距離閾値以下、及び／又は、前記角度が角度閾値以下であると、前記応用機器がサービス機器と接続を確立できると決定し、逆の場合、前記応用機器がサービス機器と接続を確立できないと決定することとを含む。
【００１７】
また、本開示の実施例は、モノのインターネットプラットフォームを更に提供し、サービス機器にアクセスするために応用機器から送信された操作要求メッセージであって、前記応用機器の位置情報が担持された前記操作要求メッセージを受信するための第１受信回路と、前記応用機器の位置情報に基づいて、前記応用機器が前記サービス機器と接続を確立できるかを決定するための第１処理回路と、前記応用機器が前記サービス機器と接続を確立できると決定した場合、前記サービス機器へのアクセスを前記応用機器に指示するための指示情報が担持された操作応答メッセージを前記応用機器に送信するための第１送信回路とを含む。
【００１８】
ここで、前記モノのインターネットプラットフォームは、前記応用機器が前記サービス機器と接続を確立できるかを決定する前に、前記サービス機器から送信された前記サービス機器の位置情報を受信するための第２受信回路を更に含む。前記第１処理回路は、前記応用機器の位置情報及び前記サービス機器の位置情報に基づいて、前記応用機器がサービス機器と接続を確立できるかを決定するための第１処理サブ回路を含む。
【００１９】
ここで、第１処理サブ回路は、具体的には、前記応用機器の位置情報及び前記サービス機器の位置情報に基づいて、前記応用機器と前記サービス機器との距離、及び／又は、前記応用機器と前記サービス機器とを繋いだ線と所定座標軸とで形成される角度を決定することと、前記距離が距離閾値以下、及び／又は、前記角度が角度閾値以下であると、前記応用機器が前記サービス機器と接続を確立できると決定し、逆の場合、前記応用機器が前記サービス機器と接続を確立できないと決定することとに用いられる。
【００２０】
ここで、前記第１処理回路は、前記操作要求メッセージのうちの応用機器の位置情報に基づいて、前記応用機器が前記サービス機器と接続を確立できるかを決定するように、前記操作要求メッセージを前記サービス機器に転送することと、前記サービス機器から送信された操作応答メッセージを受信し、前記サービス機器へのアクセスを前記応用機器に指示する指示情報が前記操作応答メッセージに担持された場合、前記応用機器が前記サービス機器と接続を確立できると決定することとに用いられる第２処理サブ回路を更に含む。前記第１送信回路は、前記サービス機器から受信した操作応答メッセージを前記応用機器に転送することに用いられる。
【００２１】
また、本開示の実施例は、応用機器を更に提供し、サービス機器へのアクセスが必要となると、前記応用機器の位置情報が担持された操作要求メッセージをモノのインターネットプラットフォームに送信するための第２送信回路と、前記モノのインターネットプラットフォームから送信された操作応答メッセージを受信するための第３受信回路と、前記応用機器が前記サービス機器にアクセスするために必要な指示情報が前記操作応答メッセージに担持されると、前記指示情報に基づいて前記サービス機器にアクセスするためのアクセス回路とを含む。
【００２２】
ここで、前記応用機器は、前記サービス機器から送信された接続要求メッセージを受信するための第４受信回路と、前記サービス機器が前記接続要求メッセージに基づいて前記応用機器と接続を確立することに成功したかを指示するための接続応答メッセージを前記サービス機器に送信するための第３送信回路とを更に含み、前記接続要求メッセージは、前記サービス機器が前記モノのインターネットプラットフォームから転送された操作要求メッセージを受信したときに発するものである。
【００２３】
また、本開示の実施例は、サービス機器を更に提供し、応用機器が前記サービス機器にアクセスするときに、前記応用機器にローカルのサービスリソースを提供するためのリソース提供回路を含む。
【００２４】
ここで、前記サービス機器は、前記サービス機器の位置情報をモノのインターネットプラットフォームに送信するための第４送信回路を更に含む。よって、前記モノのインターネットプラットフォームは、前記応用機器の位置情報及び前記サービス機器の位置情報に基づいて、前記応用機器がサービス機器と接続を確立できるかを決定する。
【００２５】
ここで、前記サービス機器は、モノのインターネットプラットフォームから転送された操作要求メッセージであって、前記応用機器の位置情報が担持された前記操作要求メッセージを受信するための第５受信回路と、前記応用機器の位置情報に基づいて、接続要求メッセージを前記応用機器に送信するための第５送信回路と、前記応用機器から送信された接続応答メッセージであって、前記サービス機器が前記応用機器の位置情報に基づいて前記応用機器と接続を確立することに成功したかを指示するための前記接続応答メッセージを受信するための第６受信回路と、前記サービス機器が前記応用機器の位置情報に基づいて前記応用機器と接続を確立することに成功したことが前記接続応答メッセージによって指示されると、前記サービス機器へのアクセスを前記応用機器に指示するための指示情報が担持された操作応答メッセージを前記モノのインターネットプラットフォームに送信するための第６送信回路とを更に含む。
【００２６】
ここで、前記サービス機器は、モノのインターネットプラットフォームから転送された操作要求メッセージであって、前記応用機器の位置情報が担持された前記操作要求メッセージを受信するための第７受信回路と、前記応用機器の位置情報及び前記サービス機器の位置情報に基づいて、前記応用機器がサービス機器と接続を確立できるかを決定するための第２処理回路と、前記応用機器がサービス機器と接続を確立できる場合、前記サービス機器へのアクセスを前記応用機器に指示するための指示情報が担持された前記操作応答メッセージを前記モノのインターネットプラットフォームに送信するための第７送信回路とを更に含む。
【００２７】
ここで、前記サービス機器は、前記応用機器の位置情報及び前記サービス機器の位置情報に基づいて、前記応用機器と前記サービス機器との距離、及び／又は、前記応用機器と前記サービス機器とを繋いだ線と水平面とで形成される角度を決定することと、前記距離が距離閾値以下、及び／又は、前記角度が角度閾値以下であると、前記応用機器がサービス機器と接続を確立できると決定し、逆の場合、前記応用機器がサービス機器と接続を確立できないと決定することとに用いられる第２処理回路を更に含む。
【００２８】
また、本開示の実施例は、プロセッサと、メモリと、前記メモリに格納されて前記プロセッサで動作可能なコンピュータプログラムを含むコンピュータ装置を更に提供し、前記コンピュータプログラムがプロセッサによって実行されると、本開示の上記実施例によるモノのインターネットプラットフォームに応用されるアクセス方法、又は、本開示の上記実施例による応用機器に応用されるアクセス方法、又は、本開示の上記実施例によるサービス機器に応用されるアクセス方法が実現される。
【００２９】
また、本開示の実施例は、コンピュータプログラムが格納されているコンピュータ読み取り可能な記憶媒体を更に提供し、前記コンピュータプログラムがプロセッサによって実行されると、本開示の上記実施例によるモノのインターネットプラットフォームに応用されるアクセス方法のステップ、又は、本開示の上記実施例による応用機器に応用されるアクセス方法のステップ、又は、本開示の上記実施例によるサービス機器に応用されるアクセス方法のステップが実現される。
【図面の簡単な説明】
【００３０】
【図１】本開示の一部実施例によるモノのインターネットプラットフォームに応用されるアクセス方法のフローチャートである。
【図２】本開示の一部実施例による応用機器に応用されるアクセス方法のフローチャートである。
【図３】本開示の一部実施例によるサービス機器に応用されるアクセス方法のフローチャートである。
【図４】本開示の一部実施例によるアクセス方法の実際応用１でのフローチャートである。
【図５】本開示の一部実施例によるアクセス方法の実際応用２でのフローチャートである。
【図６】本開示の一部実施例によるアクセス方法の実際応用３でのフローチャートである。
【図７】本開示の一部実施例によるアクセス方法の実際応用４でのフローチャートである。
【図８】本開示の一部実施例によるアクセス方法の実際応用５でのフローチャートである。
【図９】本開示の一部実施例によるモノのインターネットプラットフォームの構造図である。
【図１０】本開示の一部実施例による応用機器の構造図である。
【図１１】本開示の一部実施例によるサービス機器の構造図である。
【図１２】本開示の一部実施例によるコンピュータ装置の構造図である。
【発明を実施するための形態】
【００３１】
本開示の解決しようとする技術課題、技術手段及び利点を明確にするために、以下、図面及び具体的な実施例とともに詳細に記載する。以下の記載では、本開示の実施例を全面的に理解してもらうだけのために、具体的な配置及び構成要素の特定の細部を提供する。よって、明らかに、当業者にとって、ここに記載の実施例に対し、本開示の範囲や精神を逸脱することなく様々な変更や修正を行うことができる。また、明確及び簡潔のために、既知の機能や構造の記載を省略している。
【００３２】
なお、明細書の全文にわたって言及されている「１つの実施例」や「一実施例」とは、実施例に関連する特定の特徴、構造又は特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造又は特性は、任意かつ適切な方式で１つ又は複数の実施例に組み入れられることができる。
【００３３】
本開示の各実施例において、下記各プロセスの番号の大きさは、実行順の前後を意味するのではなく、各プロセスの実行順は、その機能及び内在的な論理によって確定されるものであり、本開示の実施例の実施プロセスに対しいっさい限定を構成しないと理解すべきである。
【００３４】
本開示の実施例は、アクセスできないサービス機器の利用ライセンスをモノのインターネットプラットフォームからユーザに対し提供する可能性がある問題に対し、解決策を提供する。
【００３５】
１つの態様では、本開示の実施例は、モノのインターネットプラットフォームに応用されるアクセス方法を提供し、図１に示すように、以下のステップ１１〜１３を含む。
【００３６】
ステップ１１において、サービス機器にアクセスするために応用機器から送信された操作要求メッセージを受信する。操作要求メッセージには、該応用機器の位置情報が担持されている。
【００３７】
ここで、上記応用機器は、携帯電話、ＰＡＤ、ノートパソコンなど、ユーザ又は管理者個人のスマート端末であり、スマート端末のロケーション機能によって位置情報を提供する。上記サービス機器は、自動販売機、自動写真機、共有応用機器などである。本開示は、応用機器が操作要求メッセージに基づいてサービス機器に対し具体的に操作することを限定せず、サービス機器にアクセスしてそのリソースを利用するようにユーザ機器が要求してもよいし、サービス機器にアクセスしてその更新や配置などを行うように管理者機器が要求してもよい。
【００３８】
ステップ１２において、応用機器の位置情報に基づいて、応用機器がサービス機器と接続を確立できるかを決定する。
【００３９】
ここで、サービス機器は、モノのインターネットプラットフォームで関連登録を完成してから、モノのインターネットプラットフォームによってユーザに応用することができるようになる。従って、サービス機器は、その状況が予見可能なものであり、応用機器の位置情報から、応用機器がサービス機器と接続を確立できるかを判断することができる。
【００４０】
ステップ１３において、応用機器がサービス機器と接続を確立できると決定した場合、サービス機器へのアクセスを応用機器に指示するための指示情報が担持された操作応答メッセージを応用機器に送信する。
【００４１】
ここで、本開示において、操作応答メッセージの送信メカニズムを限定しない。
【００４２】
例えば、モノのインターネットプラットフォームは、応用機器から送信された操作要求メッセージを受け入れてから、操作応答メッセージを応用機器に送信し、応用機器は、直接、該操作応答メッセージの指示情報に基づいてサービス機器にアクセスする。又は、モノのインターネットプラットフォームは、応用機器から送信された操作要求メッセージを受け入れるかに関わらず、操作応答メッセージを応用機器にフィードバックする。応用機器から送信された操作要求メッセージを受け入れると、サービス機器へのアクセスを応用機器に指示するための指示情報を操作応答メッセージに担持させる。応用機器から送信された操作要求メッセージを受け入れなければ、指示情報を操作応答メッセージにカプセル化せず、応用機器に拒否を示す（拒否を示す操作応答メッセージに拒否理由を担持させてもよい）。また例えば、モノのインターネットプラットフォームは、応用機器の位置情報に基づいて応用機器がサービス機器と接続可能かをサービス機器に判断させる。操作応答メッセージは、サービス機器から発されるが、モノのインターネットプラットフォームは、単に操作応答メッセージを応用機器に転送する機能を奏する。
【００４３】
本実施例において、モノのインターネットプラットフォームは、応用機器の位置情報を取得し、該位置情報から、応用機器がサービス機器と接続を確立できるかを判断し、接続の確立が可能であると判断した場合のみにおいて、サービス機器にアクセスするための指示情報を応用機器に送信する。実際の応用において、本実施例によれば、モノのインターネットプラットフォームからユーザに対し利用できないリソースを割り当てることが生じることを避けることができるため、モノのインターネットプラットフォームに対するユーザの利用体験を向上させる。また、本実施例によれば、合理的な位置にある応用機器に対しサービス機器のリソースを提供することができるため、応用機器が不正なアクセス方式でサービス機器のリソースを取得することをある程度防止することもできる。
【００４４】
以下、本実施例のアクセス方法を詳細に紹介する。
【００４５】
本実施例のモノのインターネットプラットフォームは、応用機器の位置情報を取得してから、応用機器がサービス機器と接続を確立できるかを、２種類の方式で判断する。
【００４６】
応用機器がサービス機器と接続を確立できるかを判断する１つの方式として、モノのインターネットプラットフォームは、応用機器の位置とサービス機器の位置とを比較して、応用機器がサービス機器と接続を確立できるかを判断する。
【００４７】
具体的には、本実施例のアクセス方法において、上記ステップ１２の実行に先立って、サービス機器から送信されたサービス機器の位置情報をモノのインターネットプラットフォームが受信するステップを更に含む。
【００４８】
ここで、サービス機器の位置情報は、サービス機器から報告するように、モノのインターネットプラットフォームによって自主的に命令してもよいし、サービス機器が所定のプロトコルに従って自らモノのインターネットプラットフォームに報告してもよい。
【００４９】
対応して、ステップ１２を実行する際に、モノのインターネットプラットフォームは、具体的には、応用機器の位置情報及びサービス機器の位置情報に基づいて、応用機器がサービス機器と接続を確立できるかを決定する。
【００５０】
例示的な紹介として、本実施例のアクセス方法は、まず、応用機器の位置情報及びサービス機器の位置情報に基づいて、応用機器とサービス機器との距離、及び／又は、応用機器とサービス機器とを繋いだ線と水平面とで形成される角度を決定し、その後、上記距離及び／又は上記角度に基づいて、応用機器がサービス機器と接続を確立できるかを決定する。
【００５１】
実際の応用において、本実施例は、ユーザ機器がサービス機器にアクセスする方式に応じて、距離閾値と角度閾値を決定する（例えばユーザ機器とサービス機器とはブルートゥース（登録商標）で接続する場合、ブルートゥースのインタラクション能力に基づいて、距離閾値と角度閾値を決定する）。
【００５２】
応用機器とサービス機器との距離が距離閾値を超えず、及び／又は、応用機器とサービス機器との角度が角度閾値を超えないと、応用機器がその位置においてサービス機器と接続可能であると決定する。
【００５３】
応用機器がサービス機器と接続を確立できるかを判断するもう１つの方式として、モノのインターネットプラットフォームは、前記応用機器が前記サービス機器と接続を確立できるかをサービス機器に決定させる。
【００５４】
即ち、モノのインターネットプラットフォームは、直接、操作要求メッセージをサービス機器に転送し、サービス機器は、操作要求メッセージのうちの応用機器の位置情報に基づいて、応用機器がサービス機器と接続を確立できるかを決定する。その後、モノのインターネットプラットフォームは、サービス機器から送信された操作応答メッセージを受信する。応用機器がサービス機器と接続を確立できる場合、操作応答メッセージには、サービス機器へのアクセスを応用機器に指示するための指示情報が担持される。従って、モノのインターネットプラットフォームは、サービス機器へのアクセスを応用機器に指示するための指示情報が操作応答メッセージに担持されるかに応じて、応用機器がサービス機器と接続を確立できるかを決定する。サービス機器へのアクセスを応用機器に指示するための指示情報が担持される場合、モノのインターネットプラットフォームは、応用機器がサービス機器と接続を確立できると決定する。
【００５５】
対応して、上記ステップ１３を実行する際に、モノのインターネットプラットフォームは、サービス機器から受信した操作応答メッセージを応用機器に転送する。
【００５６】
ここで、サービス機器は、操作要求メッセージを受信すると、応用機器がサービス機器と接続を確立できるかを２種類の方式で決定する。
【００５７】
方式１は、サービス機器は、自身の位置情報と応用機器の位置情報に基づいて、応用機器と接続を確立できるかを決定する。
【００５８】
方式２は、サービス機器は、応用機器との接続の確立を試み、接続に成功した場合、応用機器との接続を確立できるかを決定する。
【００５９】
明らかに、方式２の場合、サービス機器から自主的に応用機器に接続できた場合、応用機器が同様に自主的にサービス機器に接続できることを示す。従って、該判断メカニズムに基づいて、モノのインターネットプラットフォームからユーザ機器に対し利用可能なサービス機器のリソースを配置する成功率を大幅に向上させることができる。
【００６０】
また、本実施例のモノのインターネットプラットフォームは、操作要求メッセージを受信すると、まず応用機器の位置情報及びサービス機器の位置情報に基づいて、応用機器がサービス機器と接続を確立できるかを決定する。モノのインターネットプラットフォームは、応用機器がサービス機器と接続を確立できると決定した後に、操作要求メッセージをサービス機器に転送し、サービス機器によって、更に、応用機器がサービス機器と接続を確立できるかを決定する。サービス機器は、更に、応用機器がサービス機器と接続を確立できると決定した後に、操作応答メッセージをモノのインターネットプラットフォームにフィードバックする。
【００６１】
対応して、本開示の一部実施例は、応用機器に応用されるアクセス方法を更に提供し、図２に示すように、以下のステップ２１〜２３を含む。
【００６２】
ステップ２１において、サービス機器へのアクセスが必要となると、応用機器の位置情報が担持された操作要求メッセージをモノのインターネットプラットフォームに送信する。
【００６３】
ステップ２２において、モノのインターネットプラットフォームから送信された操作応答メッセージを受信する。
【００６４】
ステップ２３において、応用機器がサービス機器にアクセスするために必要な指示情報が操作応答メッセージに担持されると、指示情報に基づいてサービス機器にアクセスする。
【００６５】
ここで、応用機器は、直接サービス機器にアクセスしてもよいし、モノのインターネットプラットフォームを介してサービス機器に間接的にアクセスしてもよい。
【００６６】
本実施例のアクセス方法において、サービス機器のリソースの利用をユーザからモノのインターネットプラットフォームに要求する際に、応用機器がその位置情報を自主的に報告することによって、モノのインターネットプラットフォームは、その位置情報を利用して、応用機器がサービス機器と接続を確立できるかを決定する。応用機器がサービス機器と接続を確立できると決定した場合のみにおいて、モノのインターネットプラットフォームは、サービス機器にアクセスするための指示情報を応用機器に配信する。実際の応用において、本実施例によれば、モノのインターネットプラットフォームからユーザに対し利用できないリソースを割り当てることが生じることを避けることができるため、モノのインターネットプラットフォームからユーザにもたらす体験を向上させる。
【００６７】
以下、実施例の応用機器側のアクセス方法を詳細に紹介する。
【００６８】
具体的には、モノのインターネットプラットフォームは、受信した応用機器の位置情報をサービス機器に送信し、サービス機器は、応用機器の位置情報に基づいて、応用機器との接続の確立を前もって試みる。モノのインターネットプラットフォームは、サービス機器による接続確立の試みの状況に応じて、応用機器がサービス機器と接続を確立できるかを判断する。
【００６９】
従って、本実施例の応用機器は、接続確立を試みる要求をサービス機器から受信した場合、接続に成功すると、サービス機器にフィードバックして、接続確立の試みの状況をサービス機器から該モノのインターネットプラットフォームに通知させる。このように、本実施例のアクセス方法において、更に以下のステップ２４〜２５を含む。
【００７０】
ステップ２４において、応用機器は、モノのインターネットプラットフォームの接続命令メッセージに基づいてサービス機器が送信した接続要求メッセージを受信する。
【００７１】
ステップ２５において、応用機器は、サービス機器が接続要求メッセージに基づいて応用機器と接続を確立することに成功したかを指示するための接続応答メッセージをサービス機器に送信する。
【００７２】
実際の応用において、何らかの理由により、サービス機器の接続要求を応用機器が受け入れることができないことがあり、応用機器は、接続失敗理由を接続応答メッセージに担持させてサービス機器に知らせ、サービス機器によって、接続失敗理由をモノのインターネットプラットフォームに転送する。次に、モノのインターネットプラットフォームは、更に、該接続失敗理由を応用機器のユーザに表示し、ユーザによって、更に関連の処理作業を実行する。
【００７３】
明らかに、上記方法に基づいて、応用機器のユーザは、モノのインターネットプラットフォームを通じて、どのサービス機器が利用可能か、どのサービス機器が利用できないかを明確に知ることができる。利用体験の角度から、本実施例によれば、明らかな向上が見られる。
【００７４】
また、本開示の一部実施例は、サービス機器に応用されるアクセス方法を更に提供し、図３に示すように、応用機器がサービス機器にアクセスするときに、応用機器にローカルのサービスリソースを提供するステップ３１を含む。
【００７５】
ここで、モノのインターネットプラットフォームは、応用機器の位置情報に基づいて、応用機器がサービス機器と接続を確立できると判断した場合のみにおいて、サービス機器にアクセスするための指示情報を応用機器に配信し、応用機器は、該指示情報に基づいてサービス機器にアクセスできるようになる。
【００７６】
本実施例によれば、モノのインターネットプラットフォームからユーザに対し利用できないサービス機器リソースを割り当てることを効果的に避けることができる。
【００７７】
明らかに、本実施例のサービス機器に応用されるアクセス方法は、上記のモノのインターネットプラットフォームに応用されるアクセス方法及び応用機器に応用されるアクセス方法に対応する。よって、３つのアクセス方法は、同じ技術効果を奏することができる。
【００７８】
具体的には、モノのインターネットプラットフォームは、応用機器の位置とサービス機器の位置を比較し、応用機器がサービス機器と接続を確立できるかを判断する。
【００７９】
従って、本実施例のアクセス方法は、更に、サービス機器の位置情報をサービス機器がモノのインターネットプラットフォームに送信するステップ３２を含む。よって、モノのインターネットプラットフォームは、応用機器の位置情報及びサービス機器の位置情報に基づいて、応用機器がサービス機器と接続を確立できるかを決定する。
【００８０】
実際の応用において、上記サービス機器の位置情報は、モノのインターネットプラットフォームの命令に基づいて、サービス機器が応答方式でモノのインターネットプラットフォームに報告してもよいし、サービス機器が一定のプロトコルに従って自主的にモノのインターネットプラットフォームに報告してもよいし、更に、サービス機器がモノのインターネットプラットフォームに登録する際に報告してもよい。
【００８１】
また、モノのインターネットプラットフォームは、更に、受信した操作要求メッセージをサービス機器に転送し、サービス機器によって、応用機器がサービス機器と接続を確立できるかを決定して、操作応答メッセージをフィードバックする。
【００８２】
実行可能な実現態様として、本実施例のアクセス方法は、更に以下のステップ３３〜３６を含む。
【００８３】
ステップ３３において、モノのインターネットプラットフォームから転送された操作要求メッセージを受信する。操作要求メッセージには、前記応用機器の位置情報が担持されている。
【００８４】
ステップ３４において、応用機器の位置情報に基づいて、接続要求メッセージを応用機器に送信する。
【００８５】
ステップ３５において、応用機器から送信された接続応答メッセージを受信する。接続応答メッセージは、サービス機器が応用機器の位置情報に基づいて応用機器と接続を確立することに成功したかを指示することに用いられる。
【００８６】
ステップ３６において、サービス機器が応用機器の位置情報に基づいて応用機器と接続を確立することに成功したことが接続応答メッセージによって指示されると、前記サービス機器へのアクセスを応用機器に指示するための指示情報が担持された操作応答メッセージをモノのインターネットプラットフォームに送信する。
【００８７】
上記実現態様に基づいて、サービス機器は、応用機器の位置情報に基づいて、応用機器との接続の確立を前もって試みる。モノのインターネットプラットフォームは、サービス機器による接続確立の試みの状況に応じて、応用機器がサービス機器と接続を確立できるかを判断する。明らかに、サービス機器から自主的に応用機器に接続できた場合、応用機器が同様に自主的にサービス機器に接続できることを示す。従って、該判断メカニズムに基づいて、モノのインターネットプラットフォームからユーザ機器に対し利用可能なサービス機器のリソースを配置する成功率を大幅に向上させることができる。
【００８８】
もう１つの実行可能な実現態様として、本実施例のアクセス方法は、更に以下のステップ３７〜３９を含む。
【００８９】
ステップ３７において、モノのインターネットプラットフォームから転送された操作要求メッセージを受信する。操作要求メッセージには、応用機器の位置情報が担持されている。
【００９０】
ステップ３８において、応用機器の位置情報及びサービス機器の位置情報に基づいて、応用機器がサービス機器と接続を確立できるかを決定する。
【００９１】
ステップ３９において、応用機器がサービス機器と接続を確立できる場合、サービス機器へのアクセスを応用機器に指示するための指示情報が担持された操作応答メッセージをモノのインターネットプラットフォームに送信する。
【００９２】
ここで、ステップ３８を実行する際に、応用機器の位置情報及びサービス機器の位置情報に基づいて、応用機器とサービス機器との距離、及び／又は、前記応用機器とサービス機器とを繋いだ線と水平面とで形成される角度を決定し、距離が距離閾値以下、及び／又は、角度が角度閾値以下であると、応用機器がサービス機器と接続を確立できると決定し、逆の場合、応用機器がサービス機器と接続を確立できないと決定する。
【００９３】
以下、モノのインターネットプラットフォーム、応用機器、サービス機器とともに、本開示のアクセス方法の実際応用を詳細に紹介する。
【００９４】
実際応用１
図４に示すように、本実際応用１のアクセス方法は、以下を含む。
応用機器ＡＥ１とサービス機器ＡＥ２は、モノのインターネットプラットフォームＣＳＥに登録要求を発し、ＣＳＥでの登録フローを開始する。ＣＳＥは、ＡＥ１とＡＥ２に登録応答をフィードバックする。ＡＥ１とＡＥ２の登録が完了し、ＣＳＥは、ローカルにＡＥ１とＡＥ２のリソースを確立する。
ＡＥ２は、位置更新要求をＣＳＥに発し、ＡＥ２の現在の位置情報をＣＳＥに送信する。ＣＳＥは、ＡＥ２の位置情報を記録した後に、位置更新応答をＡＥ２にフィードバックし、ＣＳＥにおけるＡＥ２の位置更新フローが完了する。
【００９５】
ＡＥ１は、ＡＥ２のリソースを利用する必要がある場合、ＡＥ２に関する操作要求メッセージをＣＳＥに発する。該操作要求メッセージには、ＡＥ１の位置情報が担持される。
【００９６】
ＣＳＥは、ＡＥ１とＡＥ２の位置情報に基づいて、ＡＥ１とＡＥ２との距離、ＡＥ１とＡＥ２とを繋いだ線と水平面とで形成される角度を算出する。ＣＳＥは、ＡＥ１とＡＥ２との距離、ＡＥ１とＡＥ２とを繋いだ線と水平面とで形成される角度が所定ポリシー（例えば、ＡＥ１とＡＥ２との距離が距離閾値を超えたか、ＡＥ１とＡＥ２とを繋いだ線と水平面とで形成される角度が角度閾値を超えたか）を満たすかを判断する。所定ポリシーを満たすと、ＣＳＥは、指示情報が担持された操作応答メッセージをＡＥ１に送信する。次に、ＡＥ１は、指示情報に基づいてＡＥ２にアクセスし（ＡＥ１が直接ＡＥ２にアクセスするか、ＣＳＥを介してＡＥ２に間接的にアクセスする）、ＡＥ２のサービスリソースを利用する。
【００９７】
実際応用２
図５に示すように、本実際応用２のアクセス方法は、以下を含む。
応用機器ＡＥ１とサービス機器ＡＥ２は、モノのインターネットプラットフォームＣＳＥに登録要求を発し、ＣＳＥでの登録フローを開始する。ＣＳＥは、ＡＥ１とＡＥ２に登録応答をフィードバックする。ＡＥ１とＡＥ２の登録が完了し、ＣＳＥは、ローカルにＡＥ１とＡＥ２のリソースを確立する。
ＡＥ１は、ＡＥ２のリソースを利用する必要がある場合、ＡＥ２に関する操作要求メッセージをＣＳＥに発する。該操作要求メッセージには、ＡＥ１の位置情報が担持される。
【００９８】
ＣＳＥは、ＡＥ１の位置情報が担持された接続命令メッセージをＡＥ２に送信する。
【００９９】
ＡＥ２は、ＡＥ１の位置情報に基づいてＡＥ１との接続の確立を試み、接続要求メッセージをＡＥ１に送信する。
【０１００】
ＡＥ１は、接続要求メッセージに基づいて、接続応答メッセージをＡＥ２にフィードバックする。
【０１０１】
ＡＥ２は、接続応答メッセージに基づいて、ＡＥ１との接続の確立に成功したかを決定し、操作応答メッセージをＣＳＥに送信して、ＡＥ２がＡＥ１との接続の確立に成功したかを指示する。ここで、ＡＥ２がＡＥ１との接続の確立に成功した場合、ＡＥ１がＡＥ２にアクセスするための指示情報を操作応答メッセージにカプセル化する。
【０１０２】
ＣＳＥは、ＡＥ２の操作応答メッセージに指示情報が担持されているかに応じて、ＡＥ１がＡＥ２に接続できるかを判断する。
ＡＥ１がＡＥ２に接続できると判断した場合、ＣＳＥは、指示情報が担持された操作応答メッセージをＡＥ１に送信する。次に、ＡＥ１は、指示情報に基づいてＡＥ２にアクセスし、ＡＥ２のサービスリソースを利用する。
【０１０３】
以上に加え、本実際応用２は、適宜に変更可能である。
【０１０４】
例えば、ＡＥ２は、接続命令応答メッセージをＣＳＥに送信して、ＡＥ２がＡＥ１との接続の確立に成功したことを指示する場合、ＣＳＥは、接続命令応答メッセージを受信すると、実際応用１のように、ＡＥ１の位置情報とＡＥ２の位置情報に基づいて、ＡＥ１とＡＥ２が所定ポリシー（例えばＡＥ１とＡＥ２との距離が距離閾値を超えたか、ＡＥ１とＡＥ２とを繋いだ線と水平面とで形成される角度が角度閾値を超えたか）を満たすかを判断する。所定ポリシーを満たすと、ＣＳＥは、指示情報が担持された操作応答メッセージをＡＥ１に送信する。逆の場合、ＣＳＥは、ＡＥ１からＡＥ２へのアクセス拒否の関連フローを実行する。
【０１０５】
ここで、接続命令応答メッセージは、ＡＥ２の位置情報を担持することができる。即ち、ＣＳＥは、接続命令応答メッセージからＡＥ２の位置情報を取得することができる。
【０１０６】
また例えば、ＣＳＥは、ＡＥ２に関する操作要求メッセージをＡＥ１から受信すると、まず、実際応用１のように、ＡＥ１の位置情報とＡＥ２の位置情報に基づいて、ＡＥ１とＡＥ２が所定ポリシー（例えばＡＥ１とＡＥ２との距離が距離閾値を超えたか、ＡＥ１とＡＥ２とを繋いだ線と水平面とで形成される角度が角度閾値を超えたか）を満たすかを判断する。所定ポリシーを満たすと、接続命令メッセージをＡＥ２に送信する。逆の場合、ＡＥ１とＡＥ２とは接続できないと決定し、ＡＥ１からＡＥ２へのアクセス拒否の関連フローを実行する。
【０１０７】
実際応用３
実際応用３において、ＡＥ１は、ＣＳＥを介さなくてもＡＥ２にアクセスすることができる。図６に示すように、本実際応用３のアクセス方法は、以下を含む。
ＡＥ１は、操作要求メッセージをブロードキャスト方式で送信する。該操作要求メッセージには、ＡＥ１の位置情報が担持される。
ＡＥ２は、操作要求メッセージを受信すると、ＡＥ１とＡＥ２の位置情報に基づいて、ＡＥ１とＡＥ２との距離、ＡＥ１とＡＥ２とを繋いだ線と水平面とで形成される角度を算出する。
ＡＥ２は、ＡＥ１とＡＥ２との距離、ＡＥ１とＡＥ２とを繋いだ線と水平面とで形成される角度が所定ポリシー（例えばＡＥ１とＡＥ２との距離が距離閾値を超えたか、ＡＥ１とＡＥ２とを繋いだ線と水平面とで形成される角度が角度閾値を超えたか）を満たすかを判断する。所定ポリシーを満たすと、ＡＥ２は、操作応答メッセージをＡＥ１に送信する。
ＡＥ２は、操作応答メッセージをＡＥ１にフィードバックする。ＡＥ１は、ＡＥ２へのアクセスを開始し、ＡＥ２上のサービスリソースを利用し、操作要求メッセージに対応する要求フローを実行する。
【０１０８】
実際応用４
図７に示すように、本実際応用４のアクセス方法は、以下を含む。
応用機器ＡＥ１とサービス機器ＡＥ２は、モノのインターネットプラットフォームＣＳＥに登録要求を発し、ＣＳＥでの登録フローを開始する。ＣＳＥは、ＡＥ１とＡＥ２に登録応答をフィードバックする。ＡＥ１とＡＥ２の登録が完了し、ＣＳＥは、ローカルにＡＥ１とＡＥ２のリソースを確立する。
ＡＥ２は、位置更新要求をＣＳＥに発し、ＡＥ２の現在の位置情報をＣＳＥに送信する。ＣＳＥは、ＡＥ２の位置情報を記録した後に、位置更新応答をＡＥ２にフィードバックする。ＣＳＥにおけるＡＥ２の位置更新フローが完了する。
【０１０９】
ＡＥ１は、ＡＥ２のリソースを利用する必要がある場合、ＡＥ２に関する操作要求メッセージをＣＳＥに発する。該操作要求メッセージには、ＡＥ１の位置情報が担持される。
【０１１０】
ＣＳＥは、操作要求メッセージをＡＥ２に転送する。
【０１１１】
ＡＥ２は、ＡＥ１とＡＥ２との距離、ＡＥ１とＡＥ２とを繋いだ線と水平面とで形成される角度が所定ポリシー（例えばＡＥ１とＡＥ２との距離が距離閾値を超えたか、ＡＥ１とＡＥ２とを繋いだ線と水平面とで形成される角度が角度閾値を超えたか）を満たすかを判断する。所定ポリシーを満たすと、ＡＥ２は、操作応答メッセージをＣＳＥに送信する。
【０１１２】
ＣＳＥは、操作応答メッセージを受信すると、操作応答メッセージをＡＥ１に転送する。ここで、指示情報は、ＡＥ２によって操作応答メッセージにカプセル化されてもよいし、ＣＳＥ２によって操作応答メッセージにカプセル化されてもよい。
【０１１３】
実際応用５
実際応答５において、ＡＥ１は、ＣＳＥを介さなくてもＡＥ２にアクセスすることができる。図８に示すように、本実際応用５のアクセス方法は、以下を含む。
ＡＥ１は、操作要求メッセージをブロードキャスト方式で送信する。該操作要求メッセージには、ＡＥ１の位置情報が担持される。
ＡＥ２は、操作要求メッセージを受信すると、ＡＥ１の位置情報に基づいて、直接、接続要求メッセージをＡＥ１に送信する。
ＡＥ１は、接続要求メッセージを受信すると、該接続要求メッセージに基づいてＡＥ２との接続を完了し、接続応答メッセージをＡＥ２にフィードバックする。
ＡＥ２は、接続応答メッセージを受信し、ＡＥ１との接続の確立を決定し、ＡＥ１のアクセスを受け入れ、操作応答メッセージをＡＥ２にフィードバックする。
ＡＥ１は、ＡＥ２にアクセスすると、操作要求メッセージで要求される関連フローを実行する。
【０１１４】
また、本開示の一部実施例は、モノのインターネットプラットフォームを更に提供し、図９に示すように、サービス機器にアクセスするために応用機器から送信された操作要求メッセージであって、前記応用機器の位置情報が担持された前記操作要求メッセージを受信するための第１受信回路９１と、前記応用機器の位置情報に基づいて、前記応用機器が前記サービス機器と接続を確立できるかを決定するための第１処理回路９２と、前記応用機器が前記サービス機器と接続を確立できると決定した場合、前記サービス機器へのアクセスを前記応用機器に指示するための指示情報が担持された操作応答メッセージを前記応用機器に送信するための第１送信回路９３とを含む。
【０１１５】
明らかに、本実施例のモノのインターネットプラットフォームは、本開示の上記実施例によるモノのインターネットプラットフォームに応用されるアクセス方法の実行主体である。従って、該アクセス方法によって実現可能な技術効果は、本実施例のモノのインターネットプラットフォームでも同様に実現可能である。
【０１１６】
選択可能に、本実施例のモノのインターネットプラットフォームは、前記応用機器が前記サービス機器と接続を確立できるかを決定する前に、前記サービス機器から送信された前記サービス機器の位置情報を受信するための第２受信回路を更に含む。
ここで、第１処理回路９２は、具体的には、前記応用機器の位置情報及び前記サービス機器の位置情報に基づいて、前記応用機器がサービス機器と接続を確立できるかを決定するための第１処理サブ回路を含む。
【０１１７】
ここで、第１処理サブ回路は、具体的には、前記応用機器の位置情報及び前記サービス機器の位置情報に基づいて、前記応用機器と前記サービス機器との距離、及び／又は、前記応用機器と前記サービス機器とを繋いだ線と所定座標軸とで形成される角度を決定することと、前記距離が距離閾値以下、及び／又は、前記角度が角度閾値以下であると、前記応用機器が前記サービス機器と接続を確立できると決定し、逆の場合、前記応用機器が前記サービス機器と接続を確立できないと決定することとに用いられる。
【０１１８】
選択可能に、本実施例の第１処理回路９２は、前記操作要求メッセージのうちの応用機器の位置情報に基づいて、前記応用機器が前記サービス機器と接続を確立できるかを決定するように、前記操作要求メッセージを前記サービス機器に転送することと、前記サービス機器から送信された操作応答メッセージを受信し、前記応用機器が前記サービス機器にアクセスするために必要な指示情報が前記操作応答メッセージに担持された場合、前記応用機器が前記サービス機器と接続を確立できると決定することとに用いられる第２処理サブ回路を更に含む。
前記第１送信回路は、前記サービス機器から受信した操作応答メッセージを前記応用機器に転送することに用いられる。
【０１１９】
また、本開示の一部実施例は、応用機器を更に提供し、図１０に示すように、サービス機器へのアクセスが必要となると、前記応用機器の位置情報が担持された操作要求メッセージをモノのインターネットプラットフォームに送信するための第２送信回路１０１と、前記モノのインターネットプラットフォームから送信された操作応答メッセージを受信するための第３受信回路１０２と、前記応用機器が前記サービス機器にアクセスするために必要な指示情報が前記操作応答メッセージに担持されると、前記指示情報に基づいて前記サービス機器にアクセスするためのアクセス回路１０３とを含む。
【０１２０】
明らかに、本実施例の応用機器は、本開示の上記実施例による応用機器に応用されるアクセス方法の実行主体である。従って、該アクセス方法によって実現可能な技術効果は、本実施例の応用機器でも同様に実現可能である。
【０１２１】
選択可能に、本実施例の応用機器は、前記サービス機器から送信された接続要求メッセージを受信するための第４受信回路と、前記サービス機器が前記接続要求メッセージに基づいて前記応用機器と接続を確立することに成功したかを指示するための接続応答メッセージを前記サービス機器に送信するための第３送信回路とを更に含み、前記接続要求メッセージは、前記サービス機器が前記モノのインターネットプラットフォームから転送された操作要求メッセージを受信したときに発するものである。
【０１２２】
また、本開示の一部実施例は、サービス機器を更に提供し、図１１に示すように、応用機器が前記サービス機器にアクセスするときに、前記応用機器にローカルのサービスリソースを提供するためのリソース提供回路１１１を含む。
【０１２３】
明らかに、本実施例のサービス機器は、本開示の上記実施例によるサービス機器に応用されるアクセス方法の実行主体である。従って、該アクセス方法によって実現可能な技術効果は、本実施例のサービス機器でも同様に実現可能である。
【０１２４】
選択可能に、本実施例のサービス機器は、前記サービス機器の位置情報をモノのインターネットプラットフォームに送信するための第４送信回路を更に含む。よって、前記モノのインターネットプラットフォームは、前記応用機器の位置情報及び前記サービス機器の位置情報に基づいて、前記応用機器がサービス機器と接続を確立できるかを決定する。
【０１２５】
選択可能に、本実施例のサービス機器は、モノのインターネットプラットフォームから転送された操作要求メッセージであって、前記応用機器の位置情報が担持された前記操作要求メッセージを受信するための第５受信回路と、前記応用機器の位置情報に基づいて、接続要求メッセージを前記応用機器に送信するための第５送信回路と、前記応用機器から送信された接続応答メッセージであって、前記サービス機器が前記応用機器の位置情報に基づいて前記応用機器と接続を確立することに成功したかを指示するための前記接続応答メッセージを受信するための第６受信回路と、前記サービス機器が前記応用機器の位置情報に基づいて前記応用機器と接続を確立することに成功したことが前記接続応答メッセージによって指示されると、前記サービス機器へのアクセスを前記応用機器に指示するための指示情報が担持された操作応答メッセージを前記モノのインターネットプラットフォームに送信するための第６送信回路とを更に含む。
【０１２６】
選択可能に、本実施例のサービス機器は、モノのインターネットプラットフォームから転送された操作要求メッセージであって、前記応用機器の位置情報が担持された前記操作要求メッセージを受信するための第７受信回路と、前記応用機器の位置情報及び前記サービス機器の位置情報に基づいて、前記応用機器がサービス機器と接続を確立できるかを決定するための第２処理回路と、前記応用機器がサービス機器と接続を確立できる場合、前記サービス機器へのアクセスを前記応用機器に指示するための指示情報が担持された前記操作応答メッセージを前記モノのインターネットプラットフォームに送信するための第７送信回路とを更に含む。
【０１２７】
ここで、第２処理回路は、具体的には、前記応用機器の位置情報及び前記サービス機器の位置情報に基づいて、前記応用機器と前記サービス機器との距離、及び／又は、前記応用機器と前記サービス機器とを繋いだ線と水平面とで形成される角度を決定することと、前記距離が距離閾値以下、及び／又は、前記角度が角度閾値以下であると、前記応用機器がサービス機器と接続を確立できると決定し、逆の場合、前記応用機器がサービス機器と接続を確立できないと決定することとに用いられる。
【０１２８】
また、図１２に示すように、本開示の一部実施例は、プロセッサ１２１と、メモリ１２２と、メモリ１２２に格納されてプロセッサ１２１で動作可能なコンピュータプログラムを含むコンピュータ装置１２０を更に提供する。
【０１２９】
ここで、プロセッサ１２１とメモリ１２２とは、バスインタフェースを介してデータのやり取りが実現される。バスインタフェースは、任意数の相互接続するバスとブリッジを含み、具体的に、プロセッサ１２１をはじめとする１つ又は複数のプロセッサとメモリ１２２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。
【０１３０】
本実施例のコンピュータ装置１２０がモノのインターネットプラットフォームに応用される場合、プロセッサ１２１は、メモリからプログラムを読み取ることによって、サービス機器にアクセスするために応用機器から送信された操作要求メッセージであって、前記応用機器の位置情報が担持された前記操作要求メッセージを受信するプロセスと、前記応用機器の位置情報に基づいて、前記応用機器が前記サービス機器と接続を確立できるかを決定するプロセスと、前記応用機器が前記サービス機器と接続を確立できると決定した場合、前記サービス機器へのアクセスを前記応用機器に指示するための指示情報が担持された操作応答メッセージを前記応用機器に送信するプロセスとを実行する。
【０１３１】
選択可能に、プロセッサ１２１は、前記応用機器がサービス機器と接続を確立できるかを決定するステップの前に、更に、メモリからプログラムを読み取ることによって、前記サービス機器から送信された前記サービス機器の位置情報を受信するプロセスを実行する。それに対応して、プロセッサ１２１が、具体的には、応用機器の位置情報及び前記サービス機器の位置情報に基づいて、前記応用機器がサービス機器と接続を確立できるかを決定することは、前記応用機器の位置情報及び前記サービス機器の位置情報に基づいて、前記応用機器と前記サービス機器との距離、及び／又は、前記応用機器と前記サービス機器とを繋いだ線と水平面とで形成される角度を決定することと、前記距離及び／又は前記角度に基づいて、前記応用機器がサービス機器と接続を確立できるかを決定することとを含む。
【０１３２】
選択可能に、プロセッサ１２１は、メモリからプログラムを読み取ることによって、更に、前記操作要求メッセージのうちの応用機器の位置情報に基づいて、前記応用機器が前記サービス機器と接続を確立できるかを決定するように、前記操作要求メッセージを前記サービス機器に転送するプロセスと、前記サービス機器から送信された操作応答メッセージを受信し、前記サービス機器へのアクセスを前記応用機器に指示する指示情報が前記操作応答メッセージに担持された場合、前記応用機器が前記サービス機器と接続を確立できると決定するプロセスと、前記サービス機器から受信した操作応答メッセージを前記応用機器に転送するプロセスとを実行する。
【０１３３】
また、本実施例のコンピュータ装置１２０が応用機器に応用される場合、プロセッサ１２１は、メモリからプログラムを読み取ることによって、サービス機器へのアクセスが必要となると、前記応用機器の位置情報が担持された操作要求メッセージをモノのインターネットプラットフォームに送信するプロセスと、前記モノのインターネットプラットフォームから送信された操作応答メッセージを受信するプロセスと、前記応用機器が前記サービス機器にアクセスするために必要な指示情報が前記操作応答メッセージに担持されると、前記指示情報に基づいて前記サービス機器にアクセスするプロセスとを実行する。
【０１３４】
選択可能に、プロセッサ１２１は、メモリからプログラムを読み取ることによって、更に、前記サービス機器から送信された接続要求メッセージを受信するプロセスと、前記サービス機器が前記接続要求メッセージに基づいて前記応用機器と接続を確立することに成功したかを指示するための接続応答メッセージを前記サービス機器に送信するプロセスと実行し、前記接続要求メッセージは、前記サービス機器が前記モノのインターネットプラットフォームから転送された操作要求メッセージを受信したときに発するものである。
【０１３５】
また、本実施例のコンピュータ装置１２０がサービス機器に応用される場合、プロセッサ１２１は、メモリからプログラムを読み取ることによって、応用機器が前記サービス機器にアクセスするときに、前記応用機器にローカルのサービスリソースを提供するプロセスを実行する。
【０１３６】
選択可能に、プロセッサ１２１は、メモリからプログラムを読み取ることによって、更に、前記サービス機器の位置情報をモノのインターネットプラットフォームに送信するプロセスを実行する。よって、前記モノのインターネットプラットフォームは、前記応用機器の位置情報及び前記サービス機器の位置情報に基づいて、前記応用機器がサービス機器と接続を確立できるかを決定する。
【０１３７】
選択可能に、プロセッサ１２１は、メモリからプログラムを読み取ることによって、更に、モノのインターネットプラットフォームから転送された操作要求メッセージであって、前記応用機器の位置情報が担持された前記操作要求メッセージを受信するプロセスと、前記応用機器の位置情報に基づいて、接続要求メッセージを前記応用機器に送信するプロセスと、前記応用機器から送信された接続応答メッセージであって、前記サービス機器が前記応用機器の位置情報に基づいて前記応用機器と接続を確立することに成功したかを指示するための前記接続応答メッセージを受信するプロセスと、前記サービス機器が前記応用機器の位置情報に基づいて前記応用機器と接続を確立することに成功したことが前記接続応答メッセージによって指示されると、前記サービス機器へのアクセスを前記応用機器に指示するための指示情報が担持された操作応答メッセージを前記モノのインターネットプラットフォームに送信するプロセスとを実行する。
【０１３８】
選択可能に、プロセッサ１２１は、メモリからプログラムを読み取ることによって、更に、モノのインターネットプラットフォームから転送された操作要求メッセージであって、前記応用機器の位置情報が担持された前記操作要求メッセージを受信するプロセスと、前記応用機器の位置情報及び前記サービス機器の位置情報に基づいて、前記応用機器が前記サービス機器と接続を確立できるかを決定するプロセスと、前記応用機器が前記サービス機器と接続を確立できる場合、前記サービス機器へのアクセスを前記応用機器に指示するための指示情報が担持された操作応答メッセージを前記モノのインターネットプラットフォームに送信するプロセスとを実行する。
【０１３９】
ここで、前記応用機器の位置情報及び前記サービス機器の位置情報に基づいて、前記応用機器が前記サービス機器と接続を確立できるかを決定することは、前記応用機器の位置情報及び前記サービス機器の位置情報に基づいて、前記応用機器と前記サービス機器との距離、及び／又は、前記応用機器と前記サービス機器とを繋いだ線と水平面とで形成される角度を決定することと、前記距離が距離閾値以下、及び／又は、前記角度が角度閾値以下であると、前記応用機器がサービス機器と接続を確立できると決定し、逆の場合、前記応用機器がサービス機器と接続を確立できないと決定することとを含む。
【０１４０】
また、本開示の一部実施例は、コンピュータプログラムが格納されているコンピュータ読み取り可能な記憶媒体を更に提供する。
【０１４１】
本実施例のコンピュータ読み取り可能な記憶媒体がモノのインターネットプラットフォームに応用される場合、プロセッサによって実行されると、メモリからプログラムを読み取ることによって、サービス機器にアクセスするために応用機器から送信された操作要求メッセージであって、前記応用機器の位置情報が担持された前記操作要求メッセージを受信するステップと、前記応用機器の位置情報に基づいて、前記応用機器が前記サービス機器と接続を確立できるかを決定するステップと、前記応用機器が前記サービス機器と接続を確立できると決定した場合、前記サービス機器へのアクセスを前記応用機器に指示するための指示情報が担持された操作応答メッセージを前記応用機器に送信するステップとが実現される。
【０１４２】
選択可能に、前記応用機器がサービス機器と接続を確立できるかを決定するステップの前に、本実施例のコンピュータ読み取り可能な記憶媒体がプロセッサによって実行されると、更に、前記サービス機器から送信された前記サービス機器の位置情報を受信するステップが実現される。前記応用機器の位置情報に基づいて、前記応用機器がサービス機器と接続を確立できるかを決定する場合、具体的には、前記応用機器の位置情報及び前記サービス機器の位置情報に基づいて、前記応用機器がサービス機器と接続を確立できるかを決定することであって、前記応用機器の位置情報及び前記サービス機器の位置情報に基づいて、前記応用機器と前記サービス機器との距離、及び／又は、前記応用機器と前記サービス機器とを繋いだ線と所定座標軸とで形成される角度を決定することと、前記距離が距離閾値以下、及び／又は、前記角度が角度閾値以下であると、前記応用機器がサービス機器と接続を確立できると決定し、逆の場合、前記応用機器がサービス機器と接続を確立できないと決定することとを含む。
【０１４３】
選択可能に、本実施例のコンピュータ読み取り可能な記憶媒体がプロセッサによって実行されると、更に、前記操作要求メッセージのうちの応用機器の位置情報に基づいて、前記応用機器が前記サービス機器と接続を確立できるかを決定するように、前記操作要求メッセージを前記サービス機器に転送するステップと、前記サービス機器から送信された操作応答メッセージを受信し、前記サービス機器へのアクセスを前記応用機器に指示する指示情報が前記操作応答メッセージに担持された場合、前記応用機器が前記サービス機器と接続を確立できると決定するステップと、前記サービス機器から受信した操作応答メッセージを前記応用機器に転送するステップとが実現される。
【０１４４】
また、本実施例のコンピュータ読み取り可能な記憶媒体が応用機器に応用される場合、プロセッサによって実行されると、サービス機器へのアクセスが必要となると、前記応用機器の位置情報が担持された操作要求メッセージをモノのインターネットプラットフォームに送信するステップと、前記モノのインターネットプラットフォームから送信された操作応答メッセージを受信するステップと、前記応用機器が前記サービス機器にアクセスするために必要な指示情報が前記操作応答メッセージに担持されると、前記指示情報に基づいて前記サービス機器にアクセスするステップとが実現される。
【０１４５】
選択可能に、本実施例のコンピュータ読み取り可能な記憶媒体がプロセッサによって実行されると、更に、前記サービス機器から送信された接続要求メッセージを受信するステップと、前記サービス機器が前記接続要求メッセージに基づいて前記応用機器と接続を確立することに成功したかを指示するための接続応答メッセージを前記サービス機器に送信するステップと実行し、前記接続要求メッセージは、前記サービス機器が前記モノのインターネットプラットフォームから転送された操作要求メッセージを受信したときに発するものである。
【０１４６】
また、本実施例のコンピュータ読み取り可能な記憶媒体がサービスに応用される場合、プロセッサによって実行されると、応用機器が前記サービス機器にアクセスするときに、前記応用機器にローカルのサービスリソースを提供するステップが実現される。
【０１４７】
選択可能に、本実施例のコンピュータ読み取り可能な記憶媒体がプロセッサによって実行されると、更に、前記サービス機器の位置情報をモノのインターネットプラットフォームに送信するステップが実現される。よって、前記モノのインターネットプラットフォームは、前記応用機器の位置情報及び前記サービス機器の位置情報に基づいて、前記応用機器がサービス機器と接続を確立できるかを決定する。
【０１４８】
選択可能に、本実施例のコンピュータ読み取り可能な記憶媒体がプロセッサによって実行されると、更に、モノのインターネットプラットフォームから転送された操作要求メッセージであって、前記応用機器の位置情報が担持された前記操作要求メッセージを受信するステップと、前記応用機器の位置情報に基づいて、接続要求メッセージを前記応用機器に送信するステップと、前記応用機器から送信された接続応答メッセージであって、前記サービス機器が前記応用機器の位置情報に基づいて前記応用機器と接続を確立することに成功したかを指示するための前記接続応答メッセージを受信するステップと、前記サービス機器が前記応用機器の位置情報に基づいて前記応用機器と接続を確立することに成功したことが前記接続応答メッセージによって指示されると、前記サービス機器へのアクセスを前記応用機器に指示するための指示情報が担持された操作応答メッセージを前記モノのインターネットプラットフォームに送信するステップとが実現される。
【０１４９】
選択可能に、本実施例のコンピュータ読み取り可能な記憶媒体がプロセッサによって実行されると、更に、モノのインターネットプラットフォームから転送された操作要求メッセージであって、前記応用機器の位置情報が担持された前記操作要求メッセージを受信するステップと、前記応用機器の位置情報及び前記サービス機器の位置情報に基づいて、前記応用機器が前記サービス機器と接続を確立できるかを決定するステップと、前記応用機器が前記サービス機器と接続を確立できる場合、前記サービス機器へのアクセスを前記応用機器に指示するための指示情報が担持された操作応答メッセージを前記モノのインターネットプラットフォームに送信するステップとが実現される。
【０１５０】
ここで、前記応用機器の位置情報及び前記サービス機器の位置情報に基づいて、前記応用機器が前記サービス機器と接続を確立できるかを決定することは、前記応用機器の位置情報及び前記サービス機器の位置情報に基づいて、前記応用機器と前記サービス機器との距離、及び／又は、前記応用機器と前記サービス機器とを繋いだ線と水平面とで形成される角度を決定することと、前記距離が距離閾値以下、及び／又は、前記角度が角度閾値以下であると、前記応用機器がサービス機器と接続を確立できると決定し、逆の場合、前記応用機器がサービス機器と接続を確立できないと決定することとを含む。
【０１５１】
以上記載されたのは、本開示の選択可能な実施形態である。なお、当業者は、本開示に記載されている原理を逸脱せずに様々な改良や修飾をすることもできる。これらの改良や修飾も、本開示の保護範囲として見なされるべきである。
【０１５２】
別途に定義することを除き、本開示に使用されている技術用語や科学用語は、本開示の所属する分野の一般技能を持つ者が理解する通常の意味である。本開示に使用されている「含む」など、それに似た用語は、該用語の前に現れる素子又は部材が、該用語の後に列挙されている素子又は部材及びそれらの均等物をカバーし、ほかの素子又は部材を排除しないことを意味する。
【図１】
2021519465.tif 000003
【図２】
2021519465.tif 000004
【図３】
2021519465.tif 000005
【図４】
2021519465.tif 000006
【図５】
2021519465.tif 000007
【図６】
2021519465.tif 000008
【図７】
2021519465.tif 000009
【図８】
2021519465.tif 000010
【図９】
2021519465.tif 000011
【図１０】
2021519465.tif 000012
【図１１】
2021519465.tif 000013
【図１２】
2021519465.tif 000014
【国際調査報告】
2021519465.tif 000015
2021519465.tif 000016
2021519465.tif 000017
2021519465.tif 000018